(57)【要約】【課題】開口部の周囲に充分な断面積がとれるように開口部の径を大きく形成し、白化現象等が発生することのない大きな袋の結束が可能なクリップを提供する。【解決手段】前方に向けて開放された開口部２が中央に形成されるとともに、該開口部２の両側に開放方向に沿って延びた一対の脚片４が形成され、該脚片４の基部に搬送及び成型用の透孔６が形成された袋口結束用のクリップ１において、大袋の収束部を収容可能な開口部２を、開口部２の内周縁とクリップ１の外周縁との幅寸法Ｗ１が所定以上の寸法を保つように前記開口部２の中心を前記開放方向にずらして形成するとともに、該開口部２の前記透孔６と対応した内周縁に開口部２の中心方向に向けて突出させた突起９ａを形成した。【選択図】　　　図１
2004018017.tif 000002
【特許請求の範囲】
【請求項１】
前方に向けて開放された開口部が中央に形成されるとともに、該開口部の両側に開放方向に沿って延びた一対の脚片が形成され、該脚片の基部に搬送及び成型用の透孔が形成された袋口結束用のクリップにおいて、袋の収束部を収容可能な開口部を、開口部の内周縁とクリップの外周縁の幅寸法が所定以上の寸法を保つように前記開口部の中心を前記開放方向にずらして形成するとともに、該開口部の前記透孔と対向した内周縁に開口部の中心方向に向けて突出させた突起を形成したことを特徴とする袋口結束用クリップ。
【発明の詳細な説明】
【０００１】
【発明の属する技術分野】
本発明は、一方向に向けて開放された開口部が中央に形成されたプラスチック製の薄片から構成されたクリップを、包装用袋の首部に装着するとともに該クリップを開口部が頂点の方向に向くように円錐形状に成形することにより袋の口部を結束するようにした袋口結束用のクリップに関する。
【０００２】
【従来の技術】
パンや野菜等の食品を収容した包装用の袋の口部を閉じるため、図６に示すように、プラスチック製の薄片で形成されたクリップ１０に形成された開口部１１を集束された袋Ｐの首部に装着して、クリップに形成された一対の脚片１２を重ね合わせることによりクリップ１０をほぼ円錐形状に成形するとともに、前記脚片１２の重ね合わせ部を固着させることにより内容物を収容した包装用袋Ｐの首部を結束するようにしたクリップが既に知られている。
【０００３】
図７（ａ）に示すように、上記クリップ１０は、収束された袋Ｐの口部を収容するように一端方向に向けて開放された開口部１１が中央部に形成されており、該開口部１１の両側に開口部１１の開放方向に沿って対向した一対の脚片１２が形成されており、開口部１１の開放方向から内容物を収容した袋Ｐの口部を収束した状態で挿入して、前記一対の脚片１２を互いに内側に向けて変位させて脚片１２同士を互いに交差させるように重合させることにより、クリップ１０を開口部１１が頂点の方向に向くようにほぼ円錐形状に成形して、両脚片１２の重合部を加締め、溶着又は係合等により固着させることにより包装用袋Ｐの首部を結束するようにしている。
【０００４】
上記クリップ１０は前方に向いた両脚片１２の先端が前位のクリップ１０の後端縁と小断面積の連結部を介して一体に連結され、クリップ結束機のクリップ供給機構により順次結束部へ供給され、先頭のクリップ１が収束されている袋Ｐの首部に装着される。各クリップ１０の前方に向いて突出している一対の脚片１２の基部には、結束機においてクリップ１０を結束位置へ搬送するためと、脚片１２同士を互いに重合操作をするための透孔１３が形成されており、該透孔１３と係合する結束機に設けられた脚寄せピンが先頭のクリップの透孔１３に係合した状態でクリップ１０は順次結束部へ向けて供給されるとともに、該脚寄せピンにより両脚片１２を内側へ変位させて重合させるようにしている。
【０００５】
【発明が解決しようとする課題】
ところで、上記クリップ１０を使用して結束を行う袋口結束用の結束機では、互いに連結されたクリップを結束位置へ供給して結束を行わせるため、クリップ１０の外径形状と透孔１３の位置が規定されており、同じ結束機で多種類のクリップを使用する場合にはクリップ１０の外径形状と透孔１３の位置を一定にする必要がある。上記クリップ１０による結束の対象となる包装用袋の種類は多様にわたっており、１種類のクリップによって結束できる袋の大きさが限られている。大きな袋の場合には通常のクリップ１０では開口内に袋の収束された袋の口部を収容することができず結束が行えない。また、無理矢理に結束したとしても、結束口が小さいためクリップ１０が切断したり脚片１２の固着部の外れが発生したり、結束できたとしても負荷が大きいためクリップ１０が白化してしまい見栄えが悪くなる。
【０００６】
また、大きな袋の収束部を収容できるように単に開口部１１の径を大きく形成すると、図７（ｂ）に示すように、開口部１１の内周縁とクリップ１の外径縁までの幅寸法ｗ１及び、開口部１１の内周縁と前記透孔１３間の寸法ｗ２が狭まってしまい、この部分の断面積が小さくなり、結束したとしてもクリップ１０を形成している合成樹脂材の前記断面積の小さくなった部分の負荷が大きくなって白化現象が生じて商品価値を損ねてしまうという問題が発生していた。
【０００７】
本発明は、開口部の径を大きく形成するとともに、開口部の周囲に充分な断面積がとれるようにして、結束した状態で白化現象等を発生することなく大きな袋の結束が可能であり、従来の袋口結束機で使用することが可能なクリップを提供することを課題とする。
【０００８】
【課題を解決するための手段】
上記課題を解決するため本発明のクリップは、前方に向けて開放された開口部が中央に形成されるとともに、該開口部の両側に開放方向に沿って延びた一対の脚片が形成され、該脚片の基部に搬送及び成型用の透孔が形成された袋口結束用のクリップにおいて、袋の収束部を収容可能な開口部を、開口部の内周縁とクリップの外周縁との幅寸法が所定以上の寸法を保つように前記開口部の中心を前記開放方向にずらして形成するとともに、該開口部の前記透孔と対向した内周縁に開口部の中心方向に向けて突出させた突起を形成したことを特徴とする。
【０００９】
【発明の実施の形態】
以下図に示す実施例により本発明の実施の形態を説明する。本発明のクリップ１は図１に示すように、プラスチックの薄片で構成されており、集束された袋の首部を収容できるように一端方向に向けて開放された開口部２が中央部に形成されている。該開口部２の開放部３の両側に開放方向に沿って一対の脚片４が形成され、この両脚片４の先端部には両脚片４同士を絡み合わせてクリップ１を円錐形に成形した状態に維持させる係合部５が形成されている。また、両脚片４の基部にはクリップ結束機において両脚片４同士を互いに内側へ引き寄せて円錐形の結束状態に重ね合わせするための透孔６が形成されている。
【００１０】
該クリップ１は前記脚片４の先端部が前方に配置されるクリップ１の肩部７と小断面積の連結部８を介して一体に連結されており、袋口結束機において先頭のクリップ１を結束位置へ搬送させる際に連結された後続のクリップ１を順次結束部へ向けて供給するようにしている。結束位置の直前で先頭のクリップ１が前記小断面積の連結部８から切断されて結束位置に待機されている袋の口部へ装着されるように操作される。
【００１１】
前記開口部２は収束された大型の袋の口部を収容できるように内径寸法が大きく形成されており、更に、白化現象を生ずることなく且つ充分な結束力を保つために、開口部２の内周縁とクリップ１の前記肩部７付近の外径縁との幅寸法Ｗ１が大きくとれるように開口部２の中心が開放方向に沿って前方へ変位されて形成されている。また、開口部２の内周縁の前記透孔６と対向した両側部には開口部２の中心方向へ突出形成された突起９ａが形成されており、この突起９ａにより開口部２の内周縁と透孔６との間の寸法Ｗ２が小さくなることを防止している。また、開口部２の後方側の内周縁にも開口部２の中心方向へ向けて突出形成された突起９ｂが形成されている。
【００１２】
図２に示すように、クリップ１は袋Ｐの収束された口部に装着されて、脚片６を互いに内側に向けて変位させることにより開口部２が上を向いた形態にほぼ円錐形状に成形され、重合された脚片４同士をカシメ又は溶着することにより又は、両脚４に形成された前記係合部５を互いに絡み合わせることによって結束させる。図３に示すように、袋Ｐの口部に装着されて円錐形状に成形されたクリップ１は、両脚片４が上下方向に重なり合って配置されるとともに、開口部２の中心方向に向けて突出形成された突起９ａ、９ｂが、袋口の収束部に当接して上方へ向けて屈曲されて開口部２の内径寸法が大きくなるように変形させる。
【００１３】
図４に示すように、開口部２の両側に沿った内周縁に形成された突起９ａは、開口部２内に挿入された袋Ｐの収束された口部と当接されることにより、突起９ａが上方に向けて弾力的に変形され開口部２の内径を拡張して大きな袋Ｐの口部を開口部２内へ収容するとともに、突起９ａの弾力により袋口の収束部を押圧させるので袋Ｐの収束部を確実に保持させる。また、図５に示すように、開口部２の後方側の内周縁に形成された突起９ｂも袋口の収束部により同様に上方に向けて変形されて弾力的に袋Ｐの口部と係合するようになる。
【００１４】
また、開口部２内に形成されている突起９ａ、９ｂには、袋と接触した際に袋を傷つけずに袋Ｐの収束部の形状又は外径を吸収させるために角部が丸められており、大袋の収束された口部と弾力的に当接されても袋Ｐに突き刺さったりして袋を損傷させてしまうことがないようにされている。
【００１５】
【発明の効果】
以上のように、本発明のクリップは、大袋の収束部が収容できる大きな内径の開口部を、その中心が開放方向にずらして形成されており、更に、該開口部の内周縁に開口部の中心方向に向けて突出させた突起を透孔と対応させて形成しているので、外形形状及び透孔の位置を従来のクリップと同一に形成しても、開口部の内周縁とクリップの肩部付近の外形縁及び透孔間の幅寸法を大きく確保させることができ、大きな袋を結束した状態でクリップ１に大きな負荷がかかることが無く白化現象が発生する等の商品価値を低下させるようなことが無く、従来のクリップを使用するクリップ結束機により、従来より大きな袋の結束をすることが可能となる。
【００１６】
また、袋の収束部が開口内に装着されることにより開口部内に形成した突起が収束部と当接されて弾力的に変形されることにより、大きな袋の収束された口部が収容できるように開口部の内径が拡張され、且つ突起の弾力により袋の口部が保持されるので、袋の収束された形状が円形になっていなくてもまた、収束部の外径が一定でない場合でも袋の口部に確実に保持されて、袋の口部を確実に結束することができる。
【図面の簡単な説明】
【図１】本発明のクリップの平面図。
【図２】本発明のクリップにより大きな袋の口部を結束した状態の斜視図。
【図３】結束状態に成形された本発明のクリップの平面図。
【図４】結束状態に成形された本発明のクリップの縦断正面図。
【図５】結束状態に成形された本発明のクリップの縦断側面図。
【図６】従来のクリップによる結束状態を示す斜視図。
【図７】従来のクリップの平面図であり、（ａ）通常の袋用のクリップ、（ｂ）は大きな袋用に開口部の内径寸法を大きく設定したクリップを示す。
【符号の説明】
１　クリップ
２　開口部
３　開放部
４　脚片
５　係合部
６　透孔
７　肩部
８　連結部
９ａ、９ｂ　突起
【図１】
2004018017.tif 000003
【図２】
2004018017.tif 000004
【図３】
2004018017.tif 000005
【図４】
2004018017.tif 000006
【図５】
2004018017.tif 000007
【図６】
2004018017.tif 000008
【図７】
2004018017.tif 000009